(57)【要約】【課題】棒状化粧料が繰出筒から抜け出すことがなく、しかも、棒状化粧料の下端部が折損したり、破損したりすることがなく、しかも、従来の外形寸法を維持することのできる繰出筒を提供する。【解決手段】棒状化粧料繰出容器に繰り出し自在に収容される有底筒状の棒状化粧料保持用の繰出筒２であり、上記繰出筒２の底壁２ｂに、棒状化粧料５の下端部を上記繰出筒２の上面開口部から挿入して上記繰出筒２の周側壁２ａに内嵌状に保持させる際に上記繰出筒２内の空気を上記繰出筒２外に逃がす空気抜き穴１６が穿設されているとともに、上記挿入の際に繰出筒２内の空気が空気抜き穴１６を通って繰出筒２外に逃げるのを許容する機能と、上記挿入後には繰出筒２外の空気が空気抜き穴１６を通って繰出筒２内に流入するのを阻止する機能とを備えた逆止弁１７が設けられている。【選択図】図２
2006204415.tif 000002
【特許請求の範囲】
【請求項１】
棒状化粧料繰出容器に繰り出し自在に収容される有底筒状の棒状化粧料保持用の繰出筒であって、上記繰出筒の底壁に、棒状化粧料の下端部を上記繰出筒の上面開口部から挿入して上記繰出筒の周側壁に内嵌状に保持させる際に上記繰出筒内の空気を上記繰出筒外に逃がす空気抜き穴が穿設されているとともに、上記挿入の際に繰出筒内の空気が空気抜き穴を通って繰出筒外に逃げるのを許容する機能と、上記挿入後には繰出筒外の空気が空気抜き穴を通って繰出筒内に流入するのを阻止する機能とを備えた逆止弁が設けられていることを特徴とする繰出筒。
【請求項２】
上記逆止弁が上記繰出筒の底壁の下面もしくは空気抜き穴に固定されている請求項１記載の繰出筒。
【請求項３】
請求項１記載の繰出筒が繰り出し自在に収容されていることを特徴とする棒状化粧料繰出容器。
【請求項４】
上記繰出筒と、この繰出筒を繰り出し自在に収容する内筒と、この内筒に相対回動自在に外嵌される外筒とを備え、上記繰出筒の周側壁外周面の相対峙する部分に突設されたガイド突起を、上記内筒の周側壁に相対峙して穿設された縦穴に係合させて上記繰出筒を内筒に収容し、上記縦穴を挿通して内筒から突出するガイド突起を、上記外筒の内周部に設けたらせん溝に係合させて上記外筒を内筒に外嵌している請求項３記載の棒状化粧料繰出容器。
【請求項５】
上記逆止弁が上記繰出筒の底壁の下面もしくは空気抜き穴に固定されている請求項３もしくは４記載の棒状化粧料繰出容器。
【発明の詳細な説明】
【技術分野】
【０００１】
本発明は、口紅，リップクリーム，チック等の棒状化粧料を容器から繰り出して使用するための繰出筒およびそれを用いた棒状化粧料繰出容器に関するものである。
【背景技術】
【０００２】
従来から、口紅等の棒状化粧料の繰り出し容器として、例えば、図２３および図２４に示すような棒状化粧料用容器がよく用いられている。この棒状化粧料用容器は、回転操作筒６０と、この回転操作筒６０内に交換可能に収容されるカートリッジ容器６１とを備えており、上記回転操作筒６０は、有底円筒状に形成された外袴６２と、それ自体の下部側が上記外袴６２内に嵌合固着されそれ自体の上部側が上記外袴６２から上向きに突出する段付円筒状の内袴６３と、上記外袴６２の底部側に嵌合固着され上記カートリッジ容器６１の凹部６８ａに着脱自在に嵌合される嵌合金具６４と、上記内袴６３の筒状段部６３ａに着脱自在に嵌着される有蓋筒状のキャップ６５とから構成されている。また、上記カートリッジ容器６１は、薄肉円筒状に形成された外筒６７と、この外筒６７内に回転可能に挿嵌された有底円筒状の内筒６８と、上記外筒６７の内周面に圧入嵌合され上記外筒６７とともに内筒６８に対して相対回転する螺旋筒６９と、上記内筒６８内に昇降可能に配設された中皿７０とから構成されており、この中皿７０に口紅７１の下端部が収納されている。また、上記中皿７０の下端側外周に径方向外向きに係合突起７０ａが一体形成されており、この係合突起７０ａが、上記内筒６８に穿設された長孔６８ｂを介して螺旋筒６９の螺旋溝６９ａに係合している。そして、上記螺旋筒６９を外筒６７とともに内筒６８に対して相対回転させることにより、中皿７０の係合突起７０ａと螺旋筒６９の螺旋溝６９ａとの係合により、上記中皿７０が外筒６７内で上下に昇降自在に案内されるようにしている（例えば、特許文献１参照）。
【０００３】
このような棒状化粧料用容器では、型成形により成形した口紅７１の下端部を中皿７０内に差し込むようにして装着しており、そのため、中皿７０の仕切板７０ｂに、上記装着時のエア抜きのためのエア抜き穴７０ｃが穿設されている。そして、使用時には、キャップ６５を取り外し、回転操作筒６０とカートリッジ容器６１の外筒６７とを相対回転させることにより、外筒６７の上端開口部から口紅７１を繰り出したり、繰り入れたりすることができるようにしている。
【特許文献１】実開平５−８１２２７号公報
【発明の開示】
【発明が解決しようとする課題】
【０００４】
しかしながら、上記の棒状化粧料用容器では、中皿７０の内周面，口紅７１の外周面の寸法精度のばらつきや口紅７１の収縮等により、中皿７０と、この中皿７０に差し込んだ口紅７１の下端部との密着性に劣るものが生じることがあり、この場合には、棒状化粧料用容器に上下方向の振動等が作用すると、中皿７０から口紅７１が抜け出すという問題がある。そこで、口紅７１のサイズをやや大きくすることが考えられるが、この場合には、上記装着時に口紅７１の下端部を中皿７０内に無理に差し込まなければならず、口紅７１の下端部が折損したり、破損したりするという問題がある。また、中皿７０および口紅７１の双方のサイズを小さくし、口紅７１の収縮による影響を少なくすることも考えられるが、この場合には、口紅７１の外形寸法を大きくすることができない。
【０００５】
本発明は、このような事情に鑑みなされたもので、口紅等の棒状化粧料が繰出筒から抜け出すことがなく、しかも、棒状化粧料の下端部が折損したり、破損したりすることがなく、従来の外形寸法を維持することのできる繰出筒およびそれを用いた棒状化粧料繰出容器の提供をその目的とする。
【課題を解決するための手段】
【０００６】
上記の目的を達成するため、本発明は、棒状化粧料繰出容器に繰り出し自在に収容される有底筒状の棒状化粧料保持用の繰出筒であって、上記繰出筒の底壁に、棒状化粧料の下端部を上記繰出筒の上面開口部から挿入して上記繰出筒の周側壁に内嵌状に保持させる際に上記繰出筒内の空気を上記繰出筒外に逃がす空気抜き穴が穿設されているとともに、上記挿入の際に繰出筒内の空気が空気抜き穴を通って繰出筒外に逃げるのを許容する機能と、上記挿入後には繰出筒外の空気が空気抜き穴を通って繰出筒内に流入するのを阻止する機能とを備えた逆止弁が設けられている繰出筒を第１の要旨とし、上記繰出筒が繰り出し自在に収容されている棒状化粧料繰出容器を第２の要旨とする。
【発明の効果】
【０００７】
すなわち、本発明の繰出筒は、棒状化粧料繰出容器に繰り出し自在に収容される有底筒状の棒状化粧料保持用の繰出筒であり、上記繰出筒の底壁に、棒状化粧料の下端部を上記繰出筒の上面開口部から挿入して上記繰出筒の周側壁に内嵌状に保持させる際に上記繰出筒内の空気を上記繰出筒外に逃がす空気抜き穴が穿設されているとともに、上記挿入の際に繰出筒内の空気が空気抜き穴を通って繰出筒外に逃げるのを許容する機能と、上記挿入後には繰出筒外の空気が空気抜き穴を通って繰出筒内に流入するのを阻止する機能とを備えた逆止弁が設けられている。したがって、本発明の繰出筒では、棒状化粧料の下端部を繰出筒の上面開口部から挿入して繰出筒の周側壁に内嵌状に保持させる（すなわち、棒状化粧料を繰出筒に装着する）際に、空気抜き穴および逆止弁を介して、繰出筒内の空気を繰出筒外に逃がすことができ、スムーズに棒状化粧料を繰出筒に装着することができる。しかも、上記繰出筒と棒状化粧料の寸法精度のばらつきや棒状化粧料の収縮等により、繰出筒と、この繰出筒の周側壁に内嵌状に保持される棒状化粧料との密着性に劣るものがあっても、棒状化粧料繰出容器に上下方向の振動等が作用して棒状化粧料が繰出筒の底壁から離れそうになると、上記逆止弁により繰出筒内には繰出筒外の空気が流入しないため、繰出筒の内部空間（棒状化粧料と繰出筒の底壁との間の空間）が負圧となって上記離間を阻止し、棒状化粧料が繰出筒から抜け出さない。しかも、上記繰出筒の底壁に逆止弁を設けるだけでよく、棒状化粧料のサイズを大きくしたり、繰出筒および棒状化粧料の双方のサイズを小さくしたりする必要がないため、上記装着時に棒状化粧料の下端部が折損したり、破損したりすることがなく、また、棒状化粧料のサイズを従来のサイズに維持することができる。また、本発明の棒状化粧料繰出容器は、上記繰出筒を繰り出し自在に収容しているため、上記優れた効果を奏する。
【０００８】
また、上記逆止弁が上記繰出筒の底壁の下面もしくは空気抜き穴に固定されている場合には、上記繰出筒内に逆止弁を設けていないため、上記装着時に逆止弁が棒状化粧料の邪魔にならない。
【０００９】
本発明では、棒状化粧料繰出容器として、各種構造のものを用いることができる。例えば、上記繰出筒と、この繰出筒を繰り出し自在に収容する内筒と、この内筒に相対回動自在に外嵌される外筒とを備え、上記繰出筒の周側壁外周面の相対峙する部分に突設されたガイド突起を、上記内筒の周側壁に相対峙して穿設された縦穴に係合させて上記繰出筒を内筒に収容し、上記縦穴を挿通して内筒から突出するガイド突起を、上記外筒の内周部に設けたらせん溝に係合させて上記外筒を内筒に外嵌しているものを用いることができる。この場合に、上記繰出筒の周側壁外周面のガイド突起自体を、上記外筒の内周部のらせん溝に係合させてもよいし、上記ガイド突起の表面にらせん溝を形成し、このらせん溝を上記外筒の内周部のらせん溝に係合させてもよい。また、上記外筒の内周部のらせん溝は、上記外筒の内周面に直接刻設したものでもよいし、上記外筒の内周面に、内周面にらせん溝を刻設した円筒体を固定することにより、外筒の内周部にらせん溝を設けるようにしたものでもよい。また、逆止弁としても、各種構造のものを用いることができる。
【発明を実施するための最良の形態】
【００１０】
つぎに、本発明の実施の形態を図面にもとづいて詳しく説明する。
【００１１】
図１および図２は本発明の棒状化粧料繰出容器の一実施の形態を示している。これらの図において、１は内筒で、２はこの内筒１の内部に繰り出し自在に収容される棒状化粧料保持用の繰出筒で、３は上記内筒１に相対回動自在に外嵌される外筒で、４はこの外筒３に冠着される有天円筒状のキャップで、それぞれ金属材料，プラスチック材料等で作製されている。５は上記繰出筒２に保持される口紅等の棒状化粧料である。この実施の形態では、上記棒状化粧料５を繰出筒２に装着する場合には、上記棒状化粧料５の下端部を繰出筒２の上面開口部から挿入して繰出筒２の周側壁２ａに内嵌状に保持させることが行われる。
【００１２】
上記内筒１は、図３および図４に示すように、有底円筒状に形成されており、上側の細径内筒部１１と下側の太径袴部１２とを有している。上記細径内筒部１１には、その周側壁の相対峙する部分に、その上端縁から下端部に一直線状に延びる一対の縦穴１１ａが穿設されているとともに、これら両縦穴１１ａの上端部近傍および下端部から横穴１１ｂが周方向に切欠き形成されている。また、上記細径内筒部１１には、その上端開口部の外周面に、下方に向かって拡がる上側の傾斜面部分と下側の垂直面部分とからなる円環状の上側突条１３が突設されており、上記太径袴部１２には、その下端部の外周面に、上記キャップ４の下端面を載置する円環状の下側突条１４が突設されている。
【００１３】
上記繰出筒２は、図５および図６に示すように、有底円筒状に形成されており、その周側壁２ａの外周面の相対峙する部分に、上記内筒１の両縦穴１１ａに上下移動自在に係合する円柱状のガイド突起１５が突設されている。これら両ガイド突起１５の突出長さは、これら両ガイド突起１５を上記両縦穴１１ａに係合させた状態で上記繰出筒２を内筒１に収容したときに、上記両ガイド突起１５が上記両縦穴１１ａから突出する長さに設定されている。
【００１４】
また、上記繰出筒２には、その底壁２ｂの中央部に空気抜き穴１６が穿設されており、棒状化粧料５を繰出筒２に装着する際に、繰出筒２内の空気を空気抜き穴１６を通して繰出筒２外に逃がすようにしている。また、上記底壁２ｂの下面には逆止弁１７が取り付けられている。
【００１５】
この逆止弁１７は、上記底壁２ｂの下面の、空気抜き穴１６の下面開口の外周部分に密着状に当接してこの下面開口を気密状に閉塞する円形平板状の可撓性弁シート１８と、この可撓性弁シート１８の外周部（上記底壁２ｂの下面に密着状に当接する部分）を上記底壁２ｂに固定するビス１９，接着剤等の固定手段（この実施の形態では、１個のビス１９）とからなっており、上記可撓性弁シート１８の外周部の上面が底壁２ｂの下面に密着状に当接して上記空気抜き穴１６の下面開口を気密状に閉塞する機能と、上記可撓性弁シート１８に対し繰出筒２内から所定の圧力が作用すると、少なくとも可撓性弁シート１８の一側部分（上記ビス１９で固定された部分とは反対側の部分）が下方に撓んで底壁２ｂの下面から離れ、上記空気抜き穴１６の下面開口を開放する機能とを備えている。この実施の形態では、上記可撓性弁シート１８は、上記装着の際に繰出筒２内から空気抜き穴１６を通って押し出される空気で下方に押圧されると、上記可撓性弁シート１８の一側部分が下方に撓んで上記空気抜き穴１６の下面開口を開放して開弁し（図７参照）、かつ、上記装着後には上記可撓性弁シート１８の可撓性により底壁２ｂの下面側に移動して再び底壁２ｂの下面に密着状に当接し（図２参照）、上記空気抜き穴１６の下面開口を気密状に閉塞して閉弁し、これにより、繰出筒２外の空気が空気抜き穴１６を通って繰出筒２内に流入するのを阻止しうるようにしている。
【００１６】
上記外筒３には、図８および図９に示すように、その内周面の上端部に、上記内筒１の上側突条１３の垂直面部分に摺接する大きさに形成された大径部３ａと、その下側の小径部３ｂとを備えており、上記小径部３ｂの内周面に、組み立てた状態で上記両ガイド突起１５に係合する一対のらせん溝２０が形成されている。そして、上記内筒１の両縦穴１１ａに上記両ガイド突起１５を係合させた状態で、上記繰出筒２を内筒１内に繰り出し自在に（すなわち、昇降自在に）収容し、上記両縦穴１１ａを挿通して内筒１から突出するガイド突起１５を上記外筒３のらせん溝２０に係合させて上記外筒３を内筒１に相対回転自在に外嵌している。
【００１７】
このようにして構成された棒状化粧料繰出容器は、外筒３が内筒１に対して相対回転自在であり、外筒３と内筒１の太径袴部１２とをそれぞれ手指でもち、外筒３を内筒１に対して相対回転させることにより、その回転に伴い外筒３の両らせん溝２０と内筒１の両縦穴１１ａとの交点が上下に移動する。そして、両縦穴１１ａと両らせん溝２０に係合している両ガイド突起１５が必然的に上記交点に位置決めされることになり、上記交点の上下移動に追従して繰出筒２が昇降する。また、上記両ガイド突起１５の上昇位置および下降位置は、上記両縦穴１１ａに設けられた上下の横穴１１ｂに位置決めされる。
【００１８】
このように構成された上記棒状化粧料繰出容器は、不使用時には、繰出筒２を下降させそのガイド突起１５を内筒１の両縦穴１１ａの下側横穴１１ｂに位置決めして不用意に繰出筒２が上昇しないようにし、この状態でキャップ４を外筒３に冠着させておく。また、使用時には、キャップ４を取り外して外筒３を露呈させ、外筒３を内筒１の太径袴部１２に対して相対的に一方向に回転させる。その結果、繰出筒２が両縦穴１１ａに沿って上昇し、棒状化粧料５が外筒３の上端開口から繰り出されて使用可能状態になる。
【００１９】
上記のように、この実施の形態では、棒状化粧料５を繰出筒２に装着する際には、空気抜き穴１６および逆止弁１７を介して、繰出筒２内の空気を繰出筒２外に逃がすことができ、スムーズに上記装着が行える。しかも、上記繰出筒２と棒状化粧料５の寸法精度のばらつきや棒状化粧料５の収縮等により、繰出筒２と、この繰出筒２の周側壁２ａに内嵌状に保持される棒状化粧料５との密着性が弱く、棒状化粧料用容器に上下方向の振動等が作用して棒状化粧料５が繰出筒２の底壁２ｂから離れそうになっても、上記逆止弁１７により繰出筒２内には繰出筒２外の空気が流入しないため、棒状化粧料５と繰出筒２の底壁２ｂ間の空間が負圧となって上記離間を阻止し、棒状化粧料５が繰出筒２から抜け出すことがない。しかも、上記繰出筒２の底壁２ｂの下面に逆止弁１７を設けるだけでよく、棒状化粧料５のサイズを大きくしたり、繰出筒２および棒状化粧料５の双方のサイズを小さくしたりする必要がないため、上記装着時に棒状化粧料５の下端部が折損したり、破損したりすることがなく、また、棒状化粧料５のサイズを従来のサイズに維持することができる。
【００２０】
図１０は本発明の棒状化粧料繰出容器の他の実施の形態を示している。図において、７は袴で、８は口紅保持部で、９は有天円筒状に形成された金属製のキャップ（図１１参照）であり、その下端部が上記袴７の上端部に着脱自在に外嵌している。
【００２１】
上記袴７は、図１２に示すように、有底円筒状に形成された金属製の袴本体２５と、この袴本体２５に抜け止め状で、かつ回動不能に取り付けられた金属製の中袴２６とからなっている。この中袴２６は、円筒部分２７と、この円筒部分２７の下端開口部から下方に延設された二重壁部分２８とからなり、上記円筒部分２７の外周面が上記袴本体２５の内周面に抜け止め状で、かつ回動不能に内嵌している。また、上記円筒部分２７の上部が上記袴本体２５の上端開口部から突出しており、この突出した部分２７ａの外周面に上記キャップ９の下端部内周面が着脱自在に外嵌している。一方、上記二重壁部分２８は、上記円筒部分２７と同心状に形成された円筒状の内外両壁２８ａ，２８ｂを有し、これら内外両壁２８ａ，２８ｂ間に、後述する内筒３１の太径係合部４２が回動不能で、かつ取り外し可能に内嵌する構造になっている。図において、２７ｂは上記円筒部分２７の上端開口部から内向きに突設された円環状の鍔部である。
【００２２】
上記口紅保持部８は、図１３に示すように、円筒状に形成された金属製のスリーブ（外筒）３０と、円筒状に形成された合成樹脂製の内筒３１と、棒状化粧料保持用の合成樹脂製の中皿（繰出筒）３２とからなっている。
【００２３】
上記スリーブ３０は、上記内筒３１に抜け止め状に、かつ回動自在に外嵌されるものであり、その下端部に円環状の係合用溝部３０ｂが形成されているとともに、その上端開口部の内周面から円環状の鍔部３０ａが突設されている。この鍔部３０ａの内径は上記内筒３１の上端部の外径より小径であり、上記鍔部３０ａの下面が内筒３１の上端面に当接している。また、上記スリーブ３０の内周面には、多数のらせん溝３３（各らせん溝３３は、その始端から終端に至る間に、上記内周面を略１周するように形成されている）が等間隔置きに刻設されている。
【００２４】
上記内筒３１は、図１４および図１５に示すように、内側下部に仕切り壁３５を有する円筒状体であり、上側の細径内筒３６と下側の太径部３９を有している。上記細径内筒３６には、図１６および図１７に示すように、その周側壁の相対峙する部分に、その周側壁の上端部から下端部に延びる縦穴３７ａ，３８ａが形成されているとともに、これら両縦穴３７ａ，３８ａの上端部および下端部に横穴３７ｂ，３８ｂが周方向に切欠き形成されている。また、これら両縦穴３７ａ，３８ａのうち一方の縦穴３７ａの上端縁中央から切欠き部３７ｃが縦向きに延びており、その先端は細径内筒３６の周側壁の上端面まで到達している。
【００２５】
一方、上記太径部３９は、上記スリーブ３０の下部を抜け止め状に、かつ回動自在に取り付ける太径取付部４１と、上記袴７の二重壁部分２８の内外両壁２８ａ，２８ｂ間に回動不能で、かつ取り外し可能に内嵌する太径係合部４２からなる。また、上記太径取付部４１の外周面は、上記スリーブ３０の下部（らせん溝３３より下側部分）の内周面を回動自在に外嵌しうる寸法に形成されているとともに、上記太径取付部４１の下部（上記仕切り壁３５に対応する部分）の外周面には、上記スリーブ３０の係合用溝部３０ｂに抜け止め状に、かつ回動自在に係合する円環状の被係合用溝部４１ａが形成されている。これにより、上記内筒３１の太径取付部４１にスリーブ３０の下部が抜け止め状に、かつ回動自在に外嵌されている。
【００２６】
また、上記太径取付部４１の外周面のうち、上記一方の縦穴３７ａの下側に位置する部分には凹部４１ｂが形成されており、この凹部４１ｂに、表面が凸曲面状に形成された凸部４３が突設されている。そして、この凸部４３の表面が上記スリーブ３０の下部の内周面に弾圧状に当接し、スリーブ３０と内筒３１を相対回動させたときに両者がスムーズに回動するようにしている。一方、上記太径係合部４２には、その相対峙する部分に、その下端縁から上方に向かって延びる切欠き部４４が形成されている。この切欠き部４４は、その先端が上記太径取付部４１を少し超えた部分まで延びているとともに、上記仕切り壁３５を横断状に切欠いている（図１８参照）。図１８において、３５ａは仕切り壁３５に穿設された２つの貫通穴である。
【００２７】
上記中皿３２は有底円筒状に形成されており、図１９〜図２１に示すように、その周側壁の外周面の相対峙する部分に、上記内筒３１の縦穴３７ａ，３８ａに上下移動自在に係合するとともに横穴３７ｂ，３８ｂに左右移動自在に係合する板状ガイド突起４５が突設されている。これら両板状ガイド突起４５の突出長さは、上記縦穴３７ａ，３８ａに係合させた状態で上記中皿３２を内筒３１に収容したときに、両縦穴３７ａ，３８ａからやや突出する長さに形成されている。そして、両板状ガイド突起４５の外面に、上記スリーブ３０の内周面に形成された多数のらせん溝３３にら合する数本のらせん溝４５ａが刻設されている。
【００２８】
また、上記中皿３２には、その底部に、棒状化粧料５を保持する保持板（底壁）４６が形成されており、この保持板４６の上側部分（棒状化粧料５を保持する部分）は、その内周面が正多角形に形成されている。また、上記保持板４６には、その中央部に空気抜き穴４７が穿設されているとともに、この空気抜き穴４７の下面開口の外周部から空気抜き用筒部４８が垂設されており、棒状化粧料５を中皿３２に装着する際に、中皿３２内の空気を空気抜き穴４７および空気抜き用筒部４８を通して中皿３２外に逃がすようにしている。また、これら空気抜き穴４７および空気抜き用筒部４８には逆止弁４９が取り付けられている。
【００２９】
この逆止弁４９は、上記空気抜き用筒部４８の下端開口部の内周面および上記空気抜き穴４７の上端開口部の内周面に着脱自在に固定された上下一対の円環状凸部５１，５２と、下側円環状凸部５１上に載置されたスプリング５３と、このスプリング５３上に載置されこのスプリング５３の弾圧力で上側円環状凸部５２の内周部に押圧されるボール５４とからなっており、上側円環状凸部５２の内周部にボール５４の上面が密着状に当接して上側円環状凸部５２の中央穴を気密状に閉塞する機能と、ボール５４に対し上記中皿３２内から所定の圧力が作用すると、ボール５４がスプリング５３の弾圧力に抗して下方に移動し、上側円環状凸部５２の内周部から離れて上側円環状凸部５２の中央穴を開放する機能とを備えている。この実施の形態では、上記ボール５４は、上記装着の際に中皿３２内から空気抜き穴４７を通って押し出される空気で下方に押圧されると、下降して上側円環状凸部５２の中央穴を開放して開弁し、かつ、上記装着後にはスプリング５３の弾圧力により上昇して再び上側円環状凸部５２の中央穴を気密状に閉塞し（図１０参照）、これにより、中皿３２外の空気が空気抜き穴４７，空気抜き用筒部４８を通って中皿３２内に流入するのを阻止しうるようにしている。
【００３０】
この実施の形態でも、上記実施の形態と同様の作用・効果を奏する。
【００３１】
図２２は図１〜図９に示す棒状化粧料繰出容器に用いる逆止弁１７の変形例を示している。この例では、上記逆止弁１７は、柔軟で可撓性を有するシリコンゴム製等の薄板を略円筒状に成形するとともに、その下半部分に４個の山部５６を放射状に形成し、これら各山部５６の下端縁同士が互いに交わる頂部５７に十字形のスリット５８を設けたもので構成されており、上記スリット５８が密着して閉弁する機能と、上記頂部５７に対し繰出筒２内から所定の圧力が作用すると、上記頂部５７の中心が周囲に拡がってスリット５８が開き開弁する機能とを備えている。この実施の形態では、上記各山部５６は、上記装着の際に繰出筒２内から空気抜き穴１６を通って押し出される空気で押圧されると、頂部５７が周囲に拡がって開弁し、かつ、上記装着後には薄板自体の可撓性により元の形状に復帰して閉弁し、これにより、繰出筒２外の空気が空気抜き穴１６を通って繰出筒２内に流入するのを阻止しうるようにしている。図において、５９は上記空気抜き穴１６の内周部に接着等により固定される円環状の取り付け部である。
【００３２】
なお、上記両実施の形態において、上記逆止弁１７，４９の構造は、特に限定されるものではなく、各種構造のものが用いられる。また、上記逆止弁１７，４９を、繰出筒２の底壁２ｂの下面、中皿３２の空気抜き用筒部４８の下面、空気抜き穴１６，４７の内部，空気抜き用筒部４８の内部等のいずれに設けてもよい。
【図面の簡単な説明】
【００３３】
【図１】本発明の棒状化粧料繰出容器の一実施の形態を示す分解斜視図である。
【図２】上記棒状化粧料繰出容器の断面図である。
【図３】内筒の断面図である。
【図４】上記内筒の平面図である。
【図５】繰出筒の断面図である。
【図６】上記繰出筒の平面図である。
【図７】棒状化粧料の装着方法を示す断面図である。
【図８】外筒の断面図である。
【図９】上記外筒の平面図である。
【図１０】本発明の棒状化粧料繰出容器の他の実施の形態を示す断面図である。
【図１１】キャップの断面図である。
【図１２】袴の断面図である。
【図１３】スリーブおよび内筒を示す分解断面図である。
【図１４】内筒の断面図である。
【図１５】上記内筒の側面図である。
【図１６】上記内筒の要部の側面図である。
【図１７】上記内筒の要部の側面図である。
【図１８】上記内筒の平面図である。
【図１９】繰出筒の断面図である。
【図２０】上記繰出筒の側面図である。
【図２１】上記繰出筒の平面図である。
【図２２】逆止弁の変形例を示す斜視図である。
【図２３】従来例を示す分解斜視図である。
【図２４】上記従来例を示す断面図である。
【符号の説明】
【００３４】
２  繰出筒
２ａ  周側壁
２ｂ  底壁
５  棒状化粧料
１６  空気抜き穴
１７  逆止弁
【図１】
2006204415.tif 000003
【図２】
2006204415.tif 000004
【図３】
2006204415.tif 000005
【図４】
2006204415.tif 000006
【図５】
2006204415.tif 000007
【図６】
2006204415.tif 000008
【図７】
2006204415.tif 000009
【図８】
2006204415.tif 000010
【図９】
2006204415.tif 000011
【図１０】
2006204415.tif 000012
【図１１】
2006204415.tif 000013
【図１２】
2006204415.tif 000014
【図１３】
2006204415.tif 000015
【図１４】
2006204415.tif 000016
【図１５】
2006204415.tif 000017
【図１６】
2006204415.tif 000018
【図１７】
2006204415.tif 000019
【図１８】
2006204415.tif 000020
【図１９】
2006204415.tif 000021
【図２０】
2006204415.tif 000022
【図２１】
2006204415.tif 000023
【図２２】
2006204415.tif 000024
【図２３】
2006204415.tif 000025
【図２４】
2006204415.tif 000026